(57)【特許請求の範囲】
【請求項１】
複数の通信端末又は複数の通信回線を収容接続する通信パッケージを自在に搭載し、各通信パッケージに対応した設定内容に基づき、同通信パッケージ経由で前記通信端末に関わる発着信を制御する交換装置であって、
前記通信パッケージに対応した、前記通信端末用の初期設定内容を予め記憶した初期設定記憶手段と、
前記通信パッケージを同交換装置に搭載して電源を投入すると、前記初期設定記憶手段に記憶中の同通信パッケージに対応する前記初期設定内容を前記設定内容として自動設定する自動設定手段と、
この自動設定手段にて設定した前記初期設定内容に基づき、同通信パッケージ経由で前記通信端末に関わる発着信制御を可能にした制御手段と、
前記自動設定手段にて前記通信パッケージに対応する通信端末用の初期設定内容を自動設定すると、この初期設定内容に基づき、前記通信端末から前記通信回線へ発信可能な発信機能及び、前記通信回線からの着信を識別表示し、同着信に応答可能な着信応答機能を、前記通信端末の複数のボタンの内、所定ボタンに割り当てるボタン割当手段とを有することを特徴とする交換装置。
【請求項２】
複数の通信端末又は複数の通信回線を収容接続する通信パッケージを自在に搭載し、各通信パッケージに対応した設定内容に基づき、同通信パッケージ経由で前記通信端末に関わる発着信を制御する交換装置であって、
前記通信パッケージに対応した、前記通信端末用の初期設定内容を予め記憶した初期設定記憶手段と、
前記通信パッケージを同交換装置に搭載して電源を投入すると、前記初期設定記憶手段に記憶中の同通信パッケージに対応する前記初期設定内容を前記設定内容として自動設定する自動設定手段と、
この自動設定手段にて設定した前記初期設定内容に基づき、同通信パッケージ経由で前記通信端末に関わる発着信制御を可能にした制御手段と、
前記自動設定手段にて前記通信パッケージに対応する通信端末用の初期設定内容を自動設定すると、この初期設定内容に基づき、前記通信端末から前記通信回線の通信経路毎に発信可能な発信機能及び、前記通信回線の通信経路毎の着信を識別表示し、同通信経路毎の着信に応答可能な着信応答機能を、前記通信端末の複数のボタンの内、前記通信経路単位で所定ボタンに割り当てるボタン割当手段を有することを特徴とする交換装置。
【請求項３】
前記通信パッケージの搭載に応じて前記通信パッケージの種別を識別する種別識別手段を有し、
前記自動設定手段は、
前記種別識別手段にて前記通信パッケージの種別を識別すると、前記初期設定記憶手段に記憶中の同種別の通信パッケージに対応した通信端末用の初期設定内容を前記設定内容として自動設定することを特徴とする請求項１又は２記載の交換装置。
【発明の詳細な説明】
【技術分野】
【０００１】
本発明は、例えば局線を収容する局線トランク（以下、単にＣＯＴと称する）、ＩＳＤＮ回線を収容するＩＳＤＮ回線トランク（以下、単にＩＴＣと称する）、ＩＰ回線を収容するＩＰ回線トランク（以下、単にＩＰＴＲＫと称する）、内線電話機を収容する内線インタフェース（以下、単にＬＩＮと称する）や多機能電話機（以下、単にＭＦＴと称する）を収容する多機能電話内線インタフェース（以下、単にＭＴＬＩＮと称する）等の各種通信パッケージを自在に搭載し、各種通信パッケージに対応した設定内容に基づき、同通信パッケージ経由で電話機やＭＦＴに関わる発着信を制御する電話交換装置等の交換装置に関する。
【背景技術】
【０００２】
従来、このような各種通信パッケージを自在に搭載する電話交換装置としては、搭載する通信パッケージ毎に、同通信パッケージの搭載位置に対応付けて同通信パッケージのパッケージ種別を記憶装置内に設定しておく必要があるが、通信パッケージを搭載した際、同通信パッケージの搭載位置及びパッケージ種別を識別し、同搭載位置に同通信パッケージのパッケージ種別が設定されていない場合、同搭載位置に対応付けて同通信パッケージのパッケージ種別を自動的に設定する技術が広く知られている（例えば特許文献１参照）。
【特許文献１】特許第３０７１９５３号公報（「特許請求の範囲」内の「請求項１」参照）
【発明の開示】
【発明が解決しようとする課題】
【０００３】
しかしながら、特許文献１の電話交換装置によれば、通信パッケージを電話交換装置内に搭載した場合、同通信パッケージの搭載位置に対応付けて、同通信パッケージの種別を示すパッケージ種別を記憶装置内に設定しているに過ぎず、例えば電話交換システム構築の初期立ち上げ時や未設定通信経路（通信パッケージ）の増設時のように、電話交換装置内に通信パッケージを搭載して電源を投入したとしても、同通信パッケージを経由した電話端末（通信端末）に関わる発着信制御を行うことはできず、同発着信制御を可能にするためには、電話端末用の設定内容を設定する設定作業が必要である。
【０００４】
本発明は上記点に鑑みてなされたものであり、その目的とするところは、例えば電話交換システム構築の初期立ち上げ時や未設定通信経路（通信パッケージ）の増設時のように、通信パッケージを搭載して電源を投入するだけで、各種設定作業を要することなく、即座に通信端末の発着信制御を可能にした交換装置を提供することにある。
【課題を解決するための手段】
【０００５】
上記目的を達成するために本発明の交換装置は、複数の通信端末又は複数の通信回線を収容接続する通信パッケージを自在に搭載し、各通信パッケージに対応した設定内容に基づき、同通信パッケージ経由で前記通信端末に関わる発着信を制御する交換装置であって、  前記通信パッケージに対応した、前記通信端末用の初期設定内容を予め記憶した初期設定記憶手段と、前記通信パッケージを同交換装置に搭載して電源を投入すると、前記初期設定記憶手段に記憶中の同通信パッケージに対応する前記初期設定内容を前記設定内容として自動設定する自動設定手段と、この自動設定手段にて設定した前記初期設定内容に基づき、同通信パッケージ経由で前記通信端末に関わる発着信制御を可能にした制御手段と、 前記自動設定手段にて前記通信パッケージに対応する通信端末用の初期設定内容を自動設定すると、この初期設定内容に基づき、前記通信端末から前記通信回線へ発信可能な発信機能及び、前記通信回線からの着信を識別表示し、同着信に応答可能な着信応答機能を、前記通信端末の複数のボタンの内、所定ボタンに割り当てるボタン割当手段とを有することを特徴とする。
【０００６】
従って、本発明の交換装置によれば、通信パッケージを搭載して電源を投入するだけで、前記初期設定記憶手段に記憶中の同通信パッケージに対応する通信端末用の初期設定内容を前記設定内容として自動設定し、この自動設定した前記初期設定内容に基づき、同通信パッケージ経由で前記通信端末に関わる発着信制御を可能にしたので、例えば電話交換システム構築の初期立ち上げ時や未設定通信経路（通信パッケージ）の増設時のように、通信パッケージを交換装置内に搭載して電源を投入するだけで、各種設定作業を要することなく、即座に通信端末の発着信制御が可能になる。
【０００７】
また、本発明の交換装置によれば、前記通信パッケージに対応する通信端末用の初期設定内容を自動設定すると、この初期設定内容に基づき、前記通信端末から前記通信回線へ発信可能な発信機能及び、前記通信回線からの着信を識別表示し、同着信に応答可能な着信応答機能を、前記通信端末の複数のボタンの内、所定ボタンに割り当てるようにしたので、例えば電話交換システム構築の初期立ち上げ時や未設定通信経路（通信パッケージ）の増設時のように、通信パッケージを交換装置内に搭載して電源を投入するだけで、各種設定作業を要することなく、即座に通信端末の所定ボタンを使用して発着信に対応することができる。
【０００８】
また、本発明の交換機は、複数の通信端末又は複数の通信回線を収容接続する通信パッケージを自在に搭載し、各通信パッケージに対応した設定内容に基づき、同通信パッケージ経由で前記通信端末に関わる発着信を制御する交換装置であって、前記通信パッケージに対応した、前記通信端末用の初期設定内容を予め記憶した初期設定記憶手段と、前記通信パッケージを同交換装置に搭載して電源を投入すると、前記初期設定記憶手段に記憶中の同通信パッケージに対応する前記初期設定内容を前記設定内容として自動設定する自動設定手段と、この自動設定手段にて設定した前記初期設定内容に基づき、同通信パッケージ経由で前記通信端末に関わる発着信制御を可能にした制御手段と、前記自動設定手段にて前記通信パッケージに対応する通信端末用の初期設定内容を自動設定すると、この初期設定内容に基づき、前記通信端末から前記通信回線の通信経路毎に発信可能な発信機能及び、前記通信回線の通信経路毎の着信を識別表示し、同通信経路毎の着信に応答可能な着信応答機能を、前記通信端末の複数のボタンの内、前記通信経路単位で所定ボタンに割り当てるボタン割当手段を有することを特徴とする。
【０００９】
従って、本発明の交換装置によれば、通信パッケージを搭載して電源を投入するだけで、前記初期設定記憶手段に記憶中の同通信パッケージに対応する通信端末用の初期設定内容を前記設定内容として自動設定し、この自動設定した前記初期設定内容に基づき、同通信パッケージ経由で前記通信端末に関わる発着信制御を可能にしたので、例えば電話交換システム構築の初期立ち上げ時や未設定通信経路（通信パッケージ）の増設時のように、通信パッケージを交換装置内に搭載して電源を投入するだけで、各種設定作業を要することなく、即座に通信端末の発着信制御が可能になる。
【００１０】
また、本発明の交換装置によれば、前記通信パッケージに対応する通信端末用の初期設定内容を自動設定すると、この初期設定内容に基づき、前記通信端末から前記通信回線の通信経路毎に発信可能な発信機能及び、前記通信回線の通信経路毎の着信を識別表示し、同通信経路毎の着信に応答可能な着信応答機能を、前記通信端末の複数のボタンの内、前記通信経路単位で所定ボタンに割り当てるようにしたので、例えば電話交換システム構築の初期立ち上げ時や未設定通信経路（通信パッケージ）の増設時のように、通信パッケージを交換装置内に搭載して電源を投入するだけで、各種設定作業を要することなく、即座に通信端末の所定ボタンを使用して、通信経路単位の発着信に対応することができる。
【００１１】
また、本発明の交換装置は、前記通信パッケージの搭載に応じて前記通信パッケージの種別を識別する種別識別手段を有し、前記自動設定手段は、前記種別識別手段にて前記通信パッケージの種別を識別すると、前記初期設定記憶手段に記憶中の同種別の通信パッケージに対応した通信端末用の初期設定内容を前記設定内容として自動設定するようにした。
【００１２】
従って、本発明の交換装置によれば、前記通信パッケージの搭載に応じて同通信パッケージの種別を識別すると、前記初期設定記憶手段に記憶中の同種別の通信パッケージに対応した通信端末用の初期設定内容を前記設定内容として自動設定するようにしたので、例えば電話交換システム構築の初期立ち上げ時や未設定通信経路（通信パッケージ）の増設時のように、通信パッケージを交換装置内に搭載して電源を投入するだけで、各種設定作業を要することなく、即座に同通信パッケージに対応した通信端末用の初期設定内容を自動的に設定することができる。
【発明の効果】
【００１３】
上記のように構成された本発明の交換装置によれば、通信パッケージを交換装置内に搭載して電源を投入するだけで、初期設定記憶手段に記憶中の同通信パッケージに対応する通信端末用の初期設定内容を設定内容として自動設定し、この自動設定した前記初期設定内容に基づき、同通信パッケージ経由で通信端末に関わる発着信制御を可能にしたので、例えば電話交換システム構築の初期立ち上げ時や未設定通信経路（通信パッケージ）の増設時のように、通信パッケージを交換装置内に搭載して電源を投入するだけで、各種設定作業を要することなく、即座に通信端末の発着信制御が可能になる。
【発明を実施するための最良の形態】
【００１４】
以下、図面に基づいて本発明の交換装置に関わる実施の形態を示す電話交換装置について説明する。図１は本実施の形態を示す電話交換装置内部の概略構成を示すブロック図である。
【００１５】
図１に示す電話交換装置１は、電話機２を収容接続するＬＩＮ１１と、ＭＦＴ３を収容接続するＭＴＬＩＮ１２と、局線アナログ網４と通信接続するＣＯＴ１３と、ＩＳＤＮ網５と通信接続するＩＴＣ１４と、ＩＰ網６と通信接続するＩＰＴＲＫ１５と、ＬＩＮ１１、ＭＴＬＩＮ１２、ＣＯＴ１３、ＩＴＣ１４及びＩＰＴＲＫ１５間の通話路を形成する通話路スイッチ（以下、単にＴＳＷと称する）１６と、電話交換装置１に関わる各種プログラム等の情報を記憶した記憶装置（以下、単にＭＭと称する）１７と、同電話交換装置１全体を制御する制御装置（以下、単にＣＣと称する）１８とを有している。
【００１６】
尚、ＬＩＮ１１は、図２に示すように、ＬＩＮパッケージ１１Ａ、ＭＴＬＩＮ１２はＭＴＬＩＮパッケージ１２Ａ、ＣＯＴ１３はＣＯＴパッケージ１３Ａ、ＩＴＣ１４はＩＴＣパッケージ１４Ａ、ＩＰＴＲＫ１５はＩＰＴＲＫパッケージ１５Ａ、ＴＳＷ１６はＴＳＷパッケージ１６Ａ、ＭＭ１７はＭＭパッケージ１７Ａ、ＣＣ１８はＣＣパッケージ１８等の各種パッケージで構成し、これら各種パッケージを、電話交換装置１を構成するパッケージ搭載装置１Ａに搭載し、電源投入に応じて起動を開始するものである。
【００１７】
また、各種パッケージには、それぞれ共有メモリを備え、ＬＩＮ１１には共有メモリ１１ａ、ＭＴＬＩＮ１２には共有メモリ１２ａ、ＣＯＴ１３には共有メモリ１３ａ、ＩＴＣ１４には共有メモリ１４ａ、ＩＰＴＲＫ１５には共有メモリ１５ａを備えている。また、これら共有メモリ１１ａ，１２ａ，１３ａ，１４ａ，１５ａには、通信パッケージのパッケージ種別を含む情報が記憶されており、ＣＣ１８では、パッケージが搭載されると、各共有メモリ１１ａ，１２ａ，１３ａ，１４ａ，１５ａの内容を確認できるものである。尚、通信パッケージは、電話機用パッケージ及び通信回線用パッケージで構成し、ＬＩＮパッケージ１１Ａ及びＭＴＬＩＮパッケージ１２Ａに電話機用パッケージに相当し、ＣＯＴパッケージ１３Ａ、ＩＴＣパッケージ１４Ａ及びＩＰＴＲＫパッケージ１５Ａは通信回線用パッケージに相当するものである。
【００１８】
図３は各種パッケージの内部構成を端的に示す説明図である。
【００１９】
各種パッケージは、例えば最大１６個の回路を収容可能にし、図３（ａ）に示すパッケージでは、１６回路の単一種別のＭＴＬＩＮ回路１２Ｂを収容するＭＴＬＩＮパッケージ１２Ａに相当するものである。尚、パッケージ内の回路数は、現在、最大１６回路であるが、通常、２回路、４回路、８回路、１６回路を収容する各仕様のパッケージが広く使用されている。
【００２０】
また、図３（ｂ）に示すパッケージは、複数種別、例えばＭＴＬＩＮ回路１２Ｂ及びＬＩＮ回路１１Ｂで構成するＭＯＴＨＥＲパッケージ１９Ａに相当し、一枚のパッケージで、例えば８回路のＭＴＬＩＮ回路１２Ｂ及び８回路のＬＩＮ回路１１Ｂを収容するものである。
【００２１】
図４は電話交換装置１内部のＭＭ１７及びＣＣ１８内部の概略構成を示すブロック図である。
【００２２】
ＭＭ１７は、通信パッケージの種別を識別するためのパッケージ種別テーブル２１と、通信パッケージに対応した初期設定内容を予め記憶した初期設定メモリ２２と、同通信パッケージに対応した設定内容を記憶する設定内容メモリ２３とを有している。
【００２３】
パッケージ種別テーブル２１は、図５に示すように通信パッケージの種別２１Ａに応じた０〜２５５の大分類番号２１Ｂと、同種別２１Ａの付加種別２１Ｃに応じた中分類番号２１Ｄとを管理し、例えば通常のＭＦＴ３用のＭＴＬＩＮパッケージ１２Ａ（ＭＴＬＰＫＧ）の場合、大分類番号“３”及び中分類番号“０”ということになる。
【００２４】
また、初期設定メモリ２２は、通信パッケージ毎に、電話端末用の初期設定内容、例えばＭＴＬＩＮパッケージ１２Ａの場合、ＭＦＴ３の内線番号、ボタン情報や着信音情報等を初期設定内容として記憶しておき、図６に示すボタン情報として全ＭＦＴ３の機能ボタン番号２２Ａ毎に割当機能内容２２Ｂを記憶しておき、例えば機能ボタン“０１”に局線アナログ網４へ発信可能なアナログ局線発信機能、機能ボタン“０２”に局線アナログ網４からの着信を識別表示し、同着信に応答可能なアナログ局線着信応答機能、機能ボタン“０３”にＩＳＤＮ網５へ発信可能なＩＳＤＮ局線発信機能、機能ボタン“０４”にＩＳＤＮ網５からの着信を識別表示し、同着信に応答可能なＩＳＤＮ局線着信応答機能、機能ボタン“０５”にＩＰ網６へ発信可能なＩＰ発信機能、機能ボタン“０６”にＩＰ網６からの着信を識別表示し、同着信に応答可能なＩＰ着信応答機能を割当機能内容として記憶しているものである。
【００２５】
また、図４に示すＣＣ１８は、パッケージ搭載装置１Ａ内に通信パッケージを搭載して電源を投入するだけで、同通信パッケージのパッケージ種別を識別するパッケージ種別識別部３１と、このパッケージ種別識別部３１の識別結果に基づき、同搭載した通信パッケージに対応する初期設定内容を初期設定メモリ２２から読み出し、この通信パッケージに対応した初期設定内容を設定内容として設定内容メモリ２３に自動的に設定する自動設定部３２と、設定内容メモリ２３に設定中の設定内容に基づき、例えばＭＦＴ３の発着信制御を可能にする制御動作を実行する制御部３３と、設定内容メモリ２３に設定中の設定内容に対応したＭＦＴ３内の所定の機能ボタンに所定機能内容を割り当てるボタン割当部３４とを有している。
【００２６】
パッケージ種別識別部３１は、パッケージ搭載装置１Ａ内に通信パッケージを搭載して電源を投入すると、共有メモリ１６Ａを通じて同通信パッケージの大分類番号＋中分類番号を取得し、この取得した大分類番号＋中分類番号に対応したパッケージ種別をパッケージ種別テーブル２１から識別すると共に、共有メモリ１６Ａを通じて、同通信パッケージ内の収容回路数も併せて識別するものである。
【００２７】
自動設定部３２は、パッケージ種別識別部３１にて通信パッケージのパッケージ種別及び回路数を識別し、例えばパッケージ種別がＭＴＬＩＮパッケージ１２Ａの場合、同ＭＴＬＩＮパッケージ１２Ａに対応した初期設定メモリ２２に記憶中の初期設定内容、例えば内線番号、ボタン情報（図６参照）及び着信音情報等を読み出し、この読み出した初期設定内容を設定内容メモリ２３に設定するものである。つまり、自動設定部３２は、ＭＴＬＩＮパッケージ１２Ａ内のＭＴＬＩＮ回路１２Ｂ毎に内線番号を設定すると共に、ＭＴＬＩＮ回路１２Ｂ毎に同ＭＴＬＩＮ回路１２Ｂに収容接続する全ＭＦＴ３のボタン情報及び着信音情報を設定するものである。
【００２８】
その結果、制御部３３は、設定内容メモリ２３に設定中の初期設定内容、例えば設定内容メモリ２３に設定中の内線番号、ボタン情報及び着信音情報に基づき、ＭＦＴ３の発着信制御を実行するものである。
【００２９】
制御部３３は、ボタン割当部３４を通じて、設定内容メモリ２３に設定中のボタン情報（図６参照）に基づき、ＭＴＬＩＮ回路１２Ｂに収容接続する全ＭＦＴ３の機能ボタン“０１”にアナログ局線発信機能、機能ボタン“０２”にアナログ局線着信応答機能、機能ボタン“０３”にＩＳＤＮ局線発信機能、機能ボタン“０４”にＩＳＤＮ局線着信応答機能、機能ボタン“０５”にＩＰ発信機能、機能ボタン“０６”にＩＰ着信応答機能を割り当てるものである。尚、この際に割り当てられる夫々の発信ボタン及び着信応答ボタンは、単に回線単位でボタンを割り当てるのではなく、アナログ局線発信機能としての機能ボタン“０１”はＣＯＴパッケージ１３Ａの何れかの回線への発信制御が可能な機能ボタンとして登録され、アナログ局線着信応答機能としての機能ボタン“０２”はＣＯＴパッケージ１３Ａの何れかの回線への着信表示及び応答が可能な機能ボタンとして登録されるものである。また、同様にＩＳＤＮ局線発信機能としての機能ボタン“０３”、ＩＳＤＮ局線着信応答機能としての機能ボタン“０４”、ＩＰ発信機能としての機能ボタン“０５”、ＩＰ着信応答機能としての機能ボタン“０６”も、夫々の対象となる各種パッケージに接続された全ての通信回線へ対応する機能ボタンとして設定されるものである。
【００３０】
また、制御部３３は、設定内容メモリ２３に設定中の着信音情報に基づき、局線アナログ網４からの局線着信中は着信音Ａ、ＩＳＤＮ網５からの着信中は着信音Ｂ、ＩＰ網６からの着信中は着信音ＣをＭＦＴ３に鳴動させるものである。
【００３１】
つまり、電話交換装置１では、例えば電話交換システム構築の初期立ち上げ時や未設定通信経路（通信回線用パッケージ）の増設時のように、新たな通信パッケージをパッケージ搭載装置１Ａに搭載して電源を投入するだけで、通信パッケージに対応した初期設定内容、例えばＭＴＬＩＮ回路１２Ｂを含む通信パッケージに対応した内線番号、ボタン情報及び着信音情報を自動的に設定し、この設定内容に基づき、即座にＭＦＴ３に関わる発着信制御を実行可能にしたものである。
【００３２】
尚、請求項記載の通信端末はＭＦＴ３、通信回線は局線アナログ網４、ＩＳＤＮ網５及びＩＰ網６等の通信回線、通信パッケージはＬＩＮパッケージ１１Ａ、ＭＴＬＩＮパッケージ１２Ａ、ＣＯＴパッケージ１３Ａ、ＩＴＣパッケージ１４Ａ及びＩＰＴＲＫパッケージ１５Ａ等の通信パッケージ、交換装置は電話交換装置１、初期設定記憶手段は初期設定メモリ２２、自動設定手段は自動設定部３２、制御手段は制御部３３、ボタン割当手段はボタン割当部３４、種別識別手段はパッケージ種別識別部３１に相当するものである。
【００３３】
次に本実施の形態を示す電話交換装置１の動作について説明する。図７及び図８は本実施の形態を示す電話交換装置１の初期設定処理に関わるＣＣ１８の処理動作を示すフローチャートである。
【００３４】
図７及び図８に示す初期設定処理は、電話交換装置１の電話交換システム構築の初期立ち上げ時や未設定通信経路（通信回線用パッケージ）の増設時のように、同パッケージ搭載装置１Ａ内に通信パッケージを搭載して電源を投入するだけで、特別な設定作業を要することなく、ＭＦＴ３用の初期設定内容を自動的に設定することで、即座にＭＦＴ３に関わる発着信制御を可能にした処理である。
【００３５】
図７に示すＣＣ１８内部の制御部３３は、例えば電話交換システム構築の初期立ち上げ時にパッケージ搭載装置１Ａ内に通信パッケージを搭載して電源投入を検知すると、初期設定実行フラグがＯＮ状態であるか否かを判定する（ステップＳ１１）。尚、制御部３３は、デフォルトの状態で初期設定実行フラグをＯＮ状態に設定しているものとする。
【００３６】
ＣＣ１８内部のパッケージ種別識別部３１は、共有メモリ１６Ａを通じて、パッケージ搭載装置１Ａに搭載した通信パッケージの大分類番号＋中分類番号に対応したパッケージ種別をパッケージ種別テーブル２１から検索し、この検索結果に基づき同通信パッケージのパッケージ種別を識別する（ステップＳ１２）。
【００３７】
ＣＣ１８内部の自動設定部３２は、同通信パッケージのパッケージ種別がＭＯＴＨＥＲパッケージであるか否かを判定する（ステップＳ１３）。
【００３８】
自動設定部３２は、同通信パッケージのパッケージ種別がＭＯＴＨＥＲパッケージの場合、同ＭＯＴＨＥＲパッケージ１９Ａ内に電話機用パッケージを内蔵しているか否かを判定する（ステップＳ１４）。尚、電話機用パッケージとは、例えばＬＩＮ回路１１ＢやＭＴＬＩＮ回路１２Ｂ等の電話機用回路を内蔵したパッケージに相当するものである。
【００３９】
自動設定部３２は、同ＭＯＴＨＥＲパッケージ１９Ａ内に電話機用パッケージを内蔵している場合、電話機用パッケージはＭＴＬＩＮ回路１２Ｂを内蔵しているか否かを判定する（ステップＳ１５）。
【００４０】
自動設定部３２は、電話機用パッケージがＭＴＬＩＮ回路１２Ｂを内蔵している場合、同電話機用パッケージ内のＭＴＬＩＮ回路１２Ｂの回路数を確認し（ステップＳ１６）、図８に示すＭ１に移行する。尚、パッケージ種別識別部３１は、共有メモリ１６Ａを通じて通信パッケージのパッケージ種別を識別する際に同通信パッケージ内部の回路数も識別するものである。
【００４１】
また、制御部３３は、ステップＳ１１にて初期設定実行フラグがＯＦＦ状態の場合、この初期設定処理を終了する。尚、制御部３３は、初期設定処理を希望しない場合、設定操作に応じて初期設定実行フラグをＯＦＦ状態に予め設定しておくものである。
【００４２】
また、自動設定部３２は、ステップＳ１３にて通信パッケージのパッケージ種別がＭＯＴＨＥＲパッケージでない場合、すなわち単一種別の通信パッケージであると判断し、同通信パッケージのパッケージ種別が電話機用パッケージであるか否かを判定する（ステップＳ１７）。
【００４３】
自動設定部３２は、同通信パッケージのパッケージ種別が電話機用パッケージの場合、同電話機用パッケージがＭＴＬＩＮ回路１２Ｂを内蔵しているか否かを判定すべく、ステップＳ１５に移行する。
【００４４】
また、自動設定部３２は、ステップＳ１７にて同通信パッケージのパッケージ種別が電話機用パッケージでない場合、すなわち、通信回線用パッケージと判断し、各種通信回線用の処理動作に移行することで（ステップＳ１８）、この処理動作を終了する。尚、通信回線用パッケージは、例えばＣＯＴパッケージ１３Ａ、ＩＴＣパッケージ１４ＡやＩＰＴＲＫパッケージ１５Ａ等の通信パッケージに相当するものである。
【００４５】
また、自動設定部３２は、ステップＳ１４にて同ＭＯＴＨＥＲパッケージ１９Ａ内に電話機用パッケージを内蔵していない場合、すなわち通信回線用パッケージを内蔵しているものと判断し、ステップＳ１８の各種通信回線用の処理動作を実行すべく、図中のＭ２に移行する。
【００４６】
次に図８に示すＭ１において自動設定部３２は、ＭＴＬＩＮ回路１２Ｂの回路数を確認すると、同通信パッケージに対応した初期設定内容、すなわち同通信パッケージ内のＭＴＬＩＮ回路１２Ｂに対応した初期設定内容を初期設定メモリ２２から読み出す（ステップＳ２１）。尚、通信パッケージ内のＭＴＬＩＮ回路１２Ｂに対応した初期設定内容は、同ＭＴＬＩＮ回路１２Ｂの内線番号設定、同ＭＴＬＩＮ回路１２Ｂに収容接続する全ＭＦＴ３のボタン情報設定及び着信音情報設定に相当するものである。
【００４７】
自動設定部３２は、ステップＳ１５の複数のＭＴＬＩＮ１２Ｂの内、回路番号“１”のＭＴＬＩＮ回路１２Ｂを指定し（ステップＳ２２）、指定した回路番号のＭＴＬＩＮ回路１２Ｂに登録する所定の内線番号（初期設定用内線番号）を抽出する（ステップＳ２３）。
【００４８】
自動設定部３２は、抽出した所定の内線番号が他の回路に登録済みであるか否かを判定する（ステップＳ２４）。
【００４９】
自動設定部３２は、同内線番号が未登録の場合、同内線番号が未使用中であると判断し、指定した回路番号のＭＴＬＩＮ回路１２Ｂに同内線番号を設定すべく、同内線番号をＭＴＬＩＮ回路１２Ｂの回路番号に対応付けて、設定内容メモリ２３に設定登録する（ステップＳ２５）。
【００５０】
さらに自動設定部３２は、同指定した回路番号のＭＴＬＩＮ回路１２Ｂにボタン情報を設定すべく、同ボタン情報をＭＴＬＩＮ回路１２Ｂの回路番号に対応付けて、設定内容メモリ２３に設定登録する（ステップＳ２６）。尚、設定内容メモリ２３内の同ＭＴＬＩＮ回路１２Ｂの回路番号に同ボタン情報を設定した場合、制御部３３は、ボタン割当部３４を通じて、同回路番号のＭＴＬＩＮ回路１２Ｂに収容接続する全ＭＦＴ３の複数の機能ボタンの内、機能ボタン“０１”にアナログ局線発信機能、機能ボタン“０２”にアナログ局線着信応答機能、機能ボタン“０３”にＩＳＤＮ局線発信機能、機能ボタン“０４”にＩＳＤＮ局線着信応答機能、機能ボタン“０５”にＩＰ発信機能、機能ボタン“０６”にＩＰ着信応答機能を割り当てるものである。
【００５１】
さらに、自動設定部３２は、同指定した回路番号のＭＴＬＩＮ回路１２Ｂに着信音情報を設定すべく、同着信音情報をＭＴＬＩＮ回路１２Ｂの回路番号に対応付けて、設定内容メモリ２３に設定登録する（ステップＳ２７）。尚、設定内容メモリ２３内の同ＭＴＬＩＮ回路１２Ｂの回路番号に同着信音情報を設定した場合、制御部３３は、同回路番号のＭＴＬＩＮ回路１２Ｂに収容接続する全ＭＦＴ３の局線着信には着信音Ａ、ＩＳＤＮ着信には着信音Ｂ、ＩＰ着信には着信音Ｃを鳴動出力するように設定したことになる。
【００５２】
自動設定部３２は、ステップＳ２７にて同回路番号のＭＴＬＩＮ回路１２Ｂに対応する着信音情報を設定登録すると、同回路番号のＭＴＬＩＮ回路１２Ｂを内線グループ“１”として設定内容メモリ２３に設定し（ステップＳ２８）、ステップＳ１５の通信パッケージ内の全ＭＴＬＩＮ回路１２Ｂの内、未指定のＭＴＬＩＮ回路１２Ｂがあるか否かを判定する（ステップＳ２９）。
【００５３】
自動設定部３２は、未指定のＭＴＬＩＮ回路１２Ｂがない場合、同通信パッケージ内の全ＭＴＬＩＮ回路１２Ｂの初期設定が完了したものと判断し、この処理動作を終了する。
【００５４】
また、自動設定部３２は、ステップＳ２９にて未指定のＭＴＬＩＮ回路１２Ｂがある場合、次の回路番号を指定し（ステップＳ３０）、同回路番号に設定する次の内線番号を抽出し（ステップＳ３１）、同内線番号が登録済みであるか否かを判定すべく、ステップＳ２４に移行する。尚、ステップＳ３１にて抽出した次の内線番号は、例えば先の内線番号が２０００番の場合、次の内線番号（２０００番）に＋１インクリメントした内線番号“２００１”番に相当するものである。
【００５５】
また、自動設定部３２は、ステップＳ２４にて同内線番号が登録済みの場合、二重登録と判断し、次の内線番号を抽出すべく、ステップＳ３１に移行する。
【００５６】
図７及び図８に示す初期設定処理によれば、電話交換システム構築の初期立ち上げ時や未設定通信経路（通信回線用パッケージや電話機用パッケージ）の増設時のように、パッケージ搭載装置１Ａ内に通信パッケージを搭載して電源を投入するだけで、同通信パッケージがＭＴＬＩＮ回路１２Ｂを含む電話機用パッケージの場合、同ＭＴＬＩＮ回路１２Ｂの通信パッケージに対応した初期設定内容、例えば内線番号、ボタン情報及び着信音情報を設定内容として設定内容メモリ２３に自動的に設定するようにしたので、設定作業を要することなく、ＭＴＬＩＮ回路１２Ｂに収容接続するＭＦＴ３の発着信制御が可能になるため、工事作業者によるＭＦＴ３の発着信制御を可能にする設定作業の負担を大幅に軽減することができる。
【００５７】
本実施の形態によれば、通信パッケージを搭載して電源を投入するだけで、初期設定メモリ２２に記憶中の同通信パッケージのＭＴＬＩＮ回路１２Ｂに収容接続するＭＦＴ３用の初期設定内容を設定内容として自動設定し、この自動設定した初期設定内容に基づき、同通信パッケージ経由でＭＦＴ３に関わる発着信制御を可能にしたので、例えば電話交換システム構築の初期立ち上げ時や未設定通信経路（通信回線用パッケージ）の増設時のように、通信パッケージをパッケージ搭載装置１Ａ内に搭載して電源を投入するだけで、各種設定作業を要することなく、即座にＭＦＴ３の発着信制御が可能になる。
【００５８】
また、本実施の形態によれば、通信パッケージのＭＴＬＩＮ回路１２Ｂに収容接続するＭＦＴ３用の初期設定内容を自動設定すると、この初期設定内容に基づき、ＭＦＴ３から通信回線の通信経路毎に発信可能な発信機能（アナログ局線発信機能、ＩＳＤＮ局線発信機能及びＩＰ発信機能）及び、通信回線の通信経路毎の着信を識別表示し、同通信経路毎の着信に応答可能な着信応答機能（アナログ局線着信応答機能、ＩＳＤＮ局線着信応答機能及びＩＰ着信応答機能）を、ＭＴＬＩＮ回路１２Ｂに収容接続する全ＭＦＴ３の複数のボタンの内、通信経路単位で所定ボタンに割り当てるようにしたので、例えば電話交換システム構築の初期立ち上げ時や未設定通信経路（通信回線用パッケージ）の増設時のように、通信パッケージをパッケージ搭載装置１Ａ内に搭載して電源を投入するだけで、各種設定作業を要することなく、即座にＭＦＴ３の所定ボタンを使用して、通信経路単位の発着信に対応することができる。
【００５９】
また、本実施の形態によれば、通信パッケージの搭載に応じて同通信パッケージのパッケージ種別を識別すると、初期設定メモリ２２に記憶中の同種別の通信パッケージに対応したＭＦＴ３用の初期設定内容を設定内容として自動設定するようにしたので、例えば電話交換システム構築の初期立ち上げ時や未設定通信経路（通信回線用パッケージ）の増設時のように、通信パッケージをパッケージ搭載装置１Ａ内に搭載して電源を投入するだけで、各種設定作業を要することなく、即座に同通信パッケージに対応したＭＦＴ３用の初期設定内容を自動的に設定することができる。
【００６０】
尚、上記実施の形態においては、通信パッケージのＭＴＬＩＮ回路１２Ｂに対応する初期設定内容のボタン情報を設定内容メモリ２３に自動設定する場合、同ＭＴＬＩＮ回路１２Ｂに収容接続する全ＭＦＴ３の複数の機能ボタンの内、例えば局線アナログ網４、ＩＳＤＮ網５及びＩＰ網６の通信経路毎に発信機能及び着信応答機能を割り当てるようにしたが、通信経路種別に関係なく、所定の機能ボタンに、発信機能及び着信応答機能を割り当てるようにしても同様の効果が得られることは言うまでもない。
【００６１】
また、上記実施の形態においては、ＭＴＬＩＮ回路１２Ｂを含む通信パッケージの場合、通信パッケージのＭＴＬＩＮ回路１２Ｂに対応する初期設定内容を設定内容メモリ２３に自動設定するようにしたが、例えばＬＩＮ回路１１Ｂを含む通信パッケージの場合でも、同通信パッケージのＬＩＮ回路１１Ｂに収容接続する全電話機２の複数のボタンの内、所定ボタンに発信機能及び着信応答機能を割り当てるようにしても良い。
【産業上の利用可能性】
【００６２】
本発明の交換装置によれば、通信パッケージを交換装置内に搭載して電源を投入するだけで、初期設定記憶手段に記憶中の同通信パッケージに対応する通信端末用の初期設定内容を前記設定内容として自動設定し、この自動設定した前記初期設定内容に基づき、同通信パッケージ経由で前記通信端末に関わる発着信制御を可能にしたので、例えば電話交換システム構築の初期立ち上げ時や未設定通信経路（通信回線用パッケージ）の増設時のように、通信パッケージを交換装置内に搭載して電源を投入するだけで、各種設定作業を要することなく、即座に通信端末の発着信制御が可能になるため、例えば局線アナログ網、ＩＳＤＮ網やＩＰ網と通信接続する電話交換装置に有用である。
【図面の簡単な説明】
【００６３】
【図１】本発明の交換装置に関わる実施の形態を示す電話交換装置内部の概略構成を示すブロック図である。
【図２】本実施の形態に関わる電話交換装置に相当するパッケージ搭載装置の概略構成を端的に示す説明図である。
【図３】本実施の形態に関わる通信パッケージの内部構成を端的に示す説明図である。（ａ）ＭＴＬＩＮパッケージの内部構成を端的に示す説明図である。（ｂ）ＭＯＴＨＥＲパッケージ（ＭＴＬＩＮ回路＋ＬＩＮ回路）の内部構成を端的に示す説明図である。
【図４】本実施の形態に関わる電話交換装置内部の要部であるＣＣ及びＭＭ内部の概略構成を示すブロック図である。
【図５】本実施の形態に関わるＭＭ内部のパッケージ識別テーブルに記憶したテーブル内容を端的に示す説明図である。
【図６】本実施の形態に関わるＭＭ内部の初期設定メモリに記憶した初期設定内容（ボタン情報）を端的に示す説明図である。
【図７】本実施の形態に関わる電話交換装置の初期設定処理に関わるＣＣ内部の処理動作を示すフローチャートである。
【図８】本実施の形態に関わる電話交換装置の初期設定処理に関わるＣＣ内部の処理動作を示すフローチャートである。
【符号の説明】
【００６４】
１  電話交換装置（交換装置）
３  ＭＦＴ（通信端末）
４  局線アナログ網（通信回線）
５  ＩＳＤＮ網（通信回線）
６  ＩＰ網（通信回線）
１１Ａ  ＬＩＮパッケージ（通信パッケージ）
１２Ａ  ＭＴＬＩＮパッケージ（通信パッケージ）
１３Ａ  ＣＯＴパッケージ（通信パッケージ）
１４Ａ  ＩＴＣパッケージ（通信パッケージ）
１５Ａ  ＩＰＴＲＫパッケージ（通信パッケージ）
２２  初期設定メモリ（初期設定記憶手段）
３１  パッケージ種別識別部（種別識別手段）
３２  自動設定部（自動設定手段）
３３  制御部（制御手段）
３４  ボタン割当部（ボタン割当手段）
【図１】
0005087348.tif 000002
【図２】
0005087348.tif 000003
【図３】
0005087348.tif 000004
【図４】
0005087348.tif 000005
【図５】
0005087348.tif 000006
【図６】
0005087348.tif 000007
【図７】
0005087348.tif 000008
【図８】
0005087348.tif 000009